(57)【特許請求の範囲】
【請求項１】
液剤を収容する容器本体と、
前記容器本体に対し上下動可能に設けられ、前記容器本体から送出される前記液剤を泡状に吐出する吐出口を備え、泡状に吐出された液剤が目的形状に成形されるように構成された泡吐出ヘッドとを有する泡吐出容器であって、
前記容器本体に設けられるとともに、前記泡吐出ヘッドが接続され、前記容器本体に収容されている前記液剤を泡状に生成する泡生成部を備え、泡状に生成した前記液剤を前記吐出口に送出する泡吐出ポンプを有し、
前記泡吐出ヘッドが前記容器本体の中心軸上に配置され、該泡吐出ヘッドの吐出口が下向きに開口された状態で、該泡吐出ヘッドから一定距離Ｋだけ下方、且つ前記容器本体の開口部の上方に、被吐出体が載置されて前記泡吐出ヘッドの上下動とともに上下動する泡受部が設けられてなる泡吐出容器。
【請求項２】
前記泡受部が前記泡吐出ヘッドから１０ｍｍ以上６０ｍｍ以下の一定距離Ｋだけ下方の位置に配置される請求項１に記載の泡吐出容器。
【請求項３】
前記泡吐出ポンプの前記泡生成部が前記泡受部の下方に配置されてなる請求項１又は２に記載の泡吐出容器。
【請求項４】
前記泡吐出ポンプの前記泡生成部で生成された泡状の前記液剤を前記泡吐出ヘッドの前記吐出口に導く送液管の一部が前記容器本体の中心軸よりも側方にずれた湾曲部とされ、この湾曲部の中に前記泡受部が配置されてなる請求項１〜３のいずれかに記載の泡吐出容器。
【発明の詳細な説明】
【技術分野】
【０００１】
本発明は泡吐出容器に関する。
【背景技術】
【０００２】
泡吐出容器として、特許文献１に記載の如く、液剤を収容する容器本体に、泡吐出ヘッドと泡吐出ポンプを設けてなるものがある。泡吐出ヘッドは、容器本体に対し上下動可能に設けられ、容器本体から送出される液剤を泡状に吐出する吐出口を備える。泡吐出ポンプは、容器本体に設けられるとともに、泡吐出ヘッドが接続され、容器本体に収容されている液剤を泡状に生成する泡生成部を備え、泡状に生成した液剤を吐出口に送出する。
【０００３】
この特許文献１に記載の泡吐出容器は、泡吐出ヘッドに複数の吐出口を設け、各吐出口の位置及び口径の設定により、各吐出口から使用者の手の上に吐出された液体が小熊のキャラクタを模した如くの目的形状の泡造形物に成形されるようにしたものである。
【０００４】
また、内容液の吐出容器として、特許文献２に記載の如く、内容液を収容する容器本体に、内容液を吐出するノズルヘッドを具備するポンプを組み付けてなるものがある。
【０００５】
この特許文献２に記載の吐出容器は、片手での吐出操作を容易に実施可能にするため、容器本体の開口部に固定されていて吐出ヘッドが上下動可能に挿入されているキャップに、吐出ヘッドの押下げ操作時に指掛け機能を発揮する補助部材を設けている。この吐出容器では、使用者の掌が上向きになるようにして親指以外の指先をそろえ、人差し指と中指を補助部材に下方から当て、親指で吐出ヘッドを押下げることにより、該吐出ヘッドの吐出口から吐出される液剤を掌の上に吐出でき、片手での吐出操作を実施できる。
【先行技術文献】
【特許文献】
【０００６】
【特許文献１】特開2010-149060号公報
【特許文献２】特開2010-155623号公報
【発明の概要】
【発明が解決しようとする課題】
【０００７】
特許文献１に記載の泡吐出容器は、一方の手で吐出ヘッドを押下げ、これによって吐出される泡状の液剤を他方の手の上に受けて泡造形物を成形するものになる。従って、片手だけの泡吐出操作で手等の被吐出体に泡状の液剤を吐出できない。また、泡吐出ヘッドから吐出された泡状の液剤を手等の被吐出体の上に受けて泡造形物を成形する場合に、泡吐出ヘッドから被吐出体までの距離が変化し易く、泡造形物の成形安定性に課題を有する。
【０００８】
特許文献２に記載の吐出容器は、片手で吐出操作できるといっても、人差し指と中指を補助部材に下方から当て、親指で吐出ヘッドを押下げるものであり、煩雑さを伴う。また、親指で吐出ヘッドを押下げるとき、補助部材に下方から当てた人差し指と中指で容器本体を支持するものになるが、吐出容器に対する親指や人差し指と中指の作用点が容器本体の中心軸上に位置せず、吐出ヘッドの上下動に安定を欠く。
【０００９】
本発明の課題は、片手でも安定的に泡吐出操作できるようにすることにある。
【課題を解決するための手段】
【００１０】
請求項１に係る発明は、液剤を収容する容器本体と、前記容器本体に対し上下動可能に設けられ、前記容器本体から送出される前記液剤を泡状に吐出する吐出口を備え、泡状に吐出された液剤が目的形状に成形されるように構成された泡吐出ヘッドとを有する泡吐出容器であって、前記容器本体に設けられるとともに、前記泡吐出ヘッドが接続され、前記容器本体に収容されている前記液剤を泡状に生成する泡生成部を備え、泡状に生成した前記液剤を前記吐出口に送出する泡吐出ポンプを有し、前記泡吐出ヘッドが前記容器本体の中心軸上に配置され、該泡吐出ヘッドの吐出口が下向きに開口された状態で、該泡吐出ヘッドから一定距離Ｋだけ下方、且つ前記容器本体の開口部の上方に、被吐出体が載置されて前記泡吐出ヘッドの上下動とともに上下動する泡受部が設けられてなるようにしたものである。
【発明の効果】
【００１１】
本発明の泡吐出容器によれば、片手でも安定的に泡吐出操作できる。
【図面の簡単な説明】
【００１２】
【図１】図１は泡吐出容器を示す下向き斜視図である。
【図２】図２は泡吐出容器の中心軸を含む断面図である。
【図３】図３は泡吐出ヘッドを示す上向き斜視図である。
【図４】図４は泡造形物の一例を示す模式図である。
【図５】図５は泡吐出容器の参考例を示す下向き斜視図である。
【発明を実施するための形態】
【００１３】
泡吐出容器１００は、液剤を収容する容器本体１０を有し、この容器本体１０に泡吐出ヘッド２０と泡吐出ポンプ３０を設けている。尚、本明細書では、容器本体１０を正立させた状態で容器本体１０に対して泡吐出ヘッド２０が位置する側を上方又は上側と呼称し、反対側を下方又は下側と呼称する。これらの上下方向は、必ずしも鉛直方向の上下と一致している必要はない。
【００１４】
泡吐出容器１００は、容器本体１０に貯留された液状の液剤Ｌを泡状に変えて吐出する容器である。液剤Ｌとしてはハンドソープを代表的に例示するが、これに限られず、洗顔料、クレンジング剤、食器用洗剤、整髪料、ボディソープ、髭剃り用クリーム、ファンデーション等の肌用化粧料、染毛剤等、泡状で用いられる種々のものを例示することができる。
【００１５】
容器本体１０は、開口部１０Ａにキャップ１１の取付部１１Ａを螺着して固定する。キャップ１１の取付部１１Ａの内側部には泡吐出ポンプ２０の後述する空気用シリンダ３２の上端部が突き当てられ、空気用シリンダ３２の上端部はパッキンを介してキャップ１１の取付部１１Ａと容器本体１０の開口部１０Ａとの間に挟圧固定される。
【００１６】
泡吐出ヘッド２０は、送液管２１と泡吐出用ノズル４０を備える。泡吐出ヘッド２０は、キャップ１１の上部であるガイド部１１Ｂに上下方向に往復動可能に送液管２１の下端部を挿入し、送液管２１の上端部に泡吐出用ノズル４０を着脱可能に嵌合し、又は一体に成形されて構成される。泡吐出ヘッド２０は、キャップ１１に対して上下動可能に設けられ、この泡吐出ヘッド２０又は後述する泡受部５０に加える押下げ操作によって泡吐出ポンプ３０を後述する如くに駆動し、泡吐出ポンプ３０によって後述する如くに生成されて容器本体１０の内部から送出される泡状の液剤を送液管２１によって泡吐出用ノズル４０に導き、この泡状の液剤を泡吐出用ノズル４０に備えた吐出口４１から外方に吐出する。
【００１７】
泡吐出ポンプ３０は、容器本体１０に内蔵して設けられる。泡吐出ポンプ３０は、従来公知のポンプを用いることができる。例えば、空気用ピストン３１が摺動する空気用シリンダ３２と、液用ピストン３３が摺動する液用シリンダ３４と、泡吐出ヘッド２０の送液管２１の下端部に接続されて、この送液管２１とともにコイルスプリング３５により上方に付勢された状態の液用ピストン３３及び空気用ピストン３１を一体的に押下げる筒状のピストンガイド３６を備える。泡吐出ポンプ３０は、空気用シリンダ３２の内部を空気用ピストン３１によって加圧される空気室３２Ａとし、液用シリンダ３４の内部を液用ピストン３３によって加圧される液室３４Ａとする。液用シリンダ３４にはディップチューブ３４Ｔが嵌合し、このディップチューブ３４Ｔは容器本体１０の内部に挿入される。空気室３２Ａの上端部にはチェック弁ＶＣが配置され、液室３４Ａの上端部には液室３４Ａの圧力によって開くボール弁Ｖ1が配置され、液室３４Ａの下端部には液室３４Ａの圧力によって閉じるポペット弁Ｖ2が配置される。泡吐出ポンプ３０は、容器本体１０の内部から吸引されて液室３４Ａから供給される液剤Ｌ（内容液）と、空気室３２Ａから供給される空気Ａとが混合される混合室３７と、送液管２１と混合室３７との間の流路に配置されたメッシュリングからなる泡生成部３８を備える。
【００１８】
そして、この泡吐出ポンプ３０では、泡吐出ヘッド２０又は後述する泡受部５０を押圧操作し、送液管２１及びピストンガイド３６とともに、空気用ピストン３１及び液用ピストン３３をコイルスプリング３５の付勢力に抗して押下げることにより、空気室３２Ａと液室３４Ａから混合室３７に供給されて混合される空気と液剤を泡生成部３８において発泡させながら、この泡状の液剤（以下、泡体という）をピストンガイド３６及び送液管２１に通して泡吐出用ノズル４０の側へ圧送し、泡吐出用ノズル４０の吐出口４１から吐出させる。
【００１９】
泡吐出ヘッド２０は、泡吐出用ノズル４０により、泡吐出ヘッド２０又は泡受部５０の１回の押圧操作で定量吐出される泡体から、ある形態をもった目的形状の泡造形物ＦＢを成形するように構成されている。ここで、目的形状は、例えば、文字、図形又は記号等を模した形状とすることができる。このうち図形としては、動物、植物、人間、アニメのキャラクタ、幾何学的な図形等が挙げられる。
【００２０】
泡吐出ヘッド２０は、前述した通り、泡吐出ポンプ３０の泡生成部３８で生成された泡体を泡吐出用ノズル４０に設けた吐出口４１に導く送液管２１を有し、送液管２１の上端部に泡吐出用ノズル４０を備え、吐出口４１を下向きに開口する。
【００２１】
泡吐出ヘッド２０において、送液管２１は、キャップ１１のガイド部１１Ｂに挿入されるとともに、ピストンガイド３６が接続される下端部を上下方向に延びる第１管部２１Ａとし、第１管部２１Ａの上端側に連続するように接続される中間部を横方向に延びる第２管部２１Ｂとし、第２管部２１Ｂの上端側に連続するように接続される中間部を上下方向に延びる第３管部２１Ｃとし、第３管部２１Ｃの上端側に連続するように接続される上端部を横方向に延びる第４管部２１Ｄとする。送液管２１は、キャップ１１のガイド部１１Ｂに挿入される第１管部２１Ａを容器本体１０の中心軸上に配置し、第２管部２１Ｂ〜第４管部２１Ｄを容器本体１０の中心軸よりも側方にずれたコの字状湾曲部２２としている。この湾曲部２２の中に後述する泡受部５０が配置される。
【００２２】
尚、本明細書において、湾曲部２２は、図２、図３に示す如く、部分的に直線状となっている場合も含み、第２管部２１Ｂから第３管部２１Ｃへ、また第３管部２１Ｃから第４管部２１Ｄへ直角に延びている場合も含む。また、泡吐出ヘッド２０の送液管２１が備える湾曲部２２は、上述の第２管部２１Ｂ〜第４管部２１Ｄからなるコの字状湾曲部２２に限らず、例えば第３管部２１Ｃ自体も円弧状等に湾曲させてなるものでも良い。
【００２３】
泡吐出ヘッド２０は、図２、図３に示す如く、送液管２１の横方向に延びる第４管部２１Ｄの先端部に、泡吐出用ノズル４０の嵌合部４２を着脱自在に嵌合可能にし、又は泡吐出用ノズル４０を一体成形されて備える。泡吐出用ノズル４０は、送液管２１から送出された液剤の流速を減速させて貯留する空洞状の貯留部４３を備え、この貯留部４３によって液剤を吐出口４１の全体により均等に分配する。
【００２４】
泡吐出ヘッド２０は、泡吐出用ノズル４０の上面にパターン表示部４４を備える。このパターン表示部４４は、吐出された泡体により成形される泡造形物ＦＢ（図４参照）を平面視した形状と対応するパターン形状を表示している。本実施形態では泡造形物ＦＢの目的形状の一例として、音符記号（八分音符）を例示する。ユーザーは、パターン表示部４４を目視することにより、泡造形物ＦＢの形状を予め知ることができる。
【００２５】
泡吐出ヘッド２０において、泡吐出用ノズル４０が備える吐出口４１は、当該泡吐出用ノズル４０が成形しようとする目的形状の泡造形物ＦＢに対応する開口部を有し、一例として、ライン状（直線状又は曲線状）の細幅開口部４１Ａと、この細幅開口部４１Ａよりも太幅の太幅開口部４１Ｂとを有している。太幅開口部４１Ｂは、細幅開口部４１Ａに連続して形成されている。細幅開口部４１Ａは、一続きの長尺形状の開口により構成されていても良いし、又は間欠的に線状に並んで配置された複数の開口により構成されていても良い。
【００２６】
より具体的には、細幅開口部４１Ａａは直線状に形成され、八分音符の符幹（棒）に対応している。細幅開口部４１Ａｂは、八分音符の符尾（旗）に対応している。一方、太幅開口部４１Ｂは、例えば、細幅開口部４１Ａの幅寸法よりも大径の略円形をなしており、八分音符の符頭（玉）に対応している。これにより、図４（Ａ）に示したように音符記号（八分音符）を模した目的形状の泡造形物ＦＢを成形することが可能である。細幅開口部４１Ａ（４１Ａａ、４１Ａｂ）から吐出された泡体は泡造形物ＦＢの細幅部ＮＰを形成し、太幅開口部４１Ｂから吐出された泡体は泡造形物ＦＢの太幅泡部ＷＰを形成する（図４（Ｂ））。
【００２７】
尚、泡吐出用ノズル４０が送液管２１に対して着脱可能であるとき、目的形状の泡造形物ＦＢを異にする複数種類の泡吐出用ノズル４０を送液管２１に対して選択的に着脱して用いることができる。複数種類の泡吐出用ノズル４０のうち所望の泡造形物ＦＢを成形し得る泡吐出用ノズル４０を送液管２１に装着して使用することができる。よって、容器本体１０と、泡吐出ヘッド２０における泡吐出用ノズル４０を除く部分と、泡吐出ポンプ３０とを共用しつつ、複数種類の目的形状の泡造形物ＦＢを成形することができる。
【００２８】
しかるに、泡吐出容器１００にあっては、泡吐出ヘッド２０の下方、かつ容器本体１０の開口部１０Ａの上方に、泡吐出ヘッド２０の上下動とともに上下動する泡受部５０が設けられる。泡吐出ヘッド２０における泡吐出用ノズル４０の吐出口４１から泡受部５０の上面までの距離Ｋは、泡吐出ヘッド２０及び泡受部５０の上下動に関係なく、常に一定に保持される。
【００２９】
ここで、容器本体１０の開口部１０Ａは、容器本体１０の中心軸を横切る領域を含むことが好ましい。そして、泡吐出ヘッド２０の上下動を安定して行なう観点から、泡受部５０の領域（面積）（又は重心）は、容器本体１０の中心軸上に位置することが好ましい。また、同様観点から、泡吐出ヘッド２０は、容器本体１０の中心軸上に配置されていることが好ましく、また、泡吐出ヘッド２０の吐出口４１は、平面視で泡受部５０の領域に収まることが好ましく、容器本体１０の開口部１０Ａの上方に位置することが好ましい。容器本体１０の開口部１０Ａ、泡受部５０、及び泡吐出ヘッド２０の吐出口４１が容器本体１０の中心軸上に並ぶのが最も好ましい。尚、容器本体１０の中心軸は、容器本体１０の開口部１０Ａ及び底部を貫く方向に延びており、本実施形態においては、容器本体１０の中心軸と開口部１０Ａの中心軸は共通している。
【００３０】
泡受部５０の上に使用者の手、スポンジ、ブラシ等の被吐出体Ｈが載置された状態で、泡吐出用ノズル４０の吐出口４１から被吐出体Ｈに対して泡体が吐出されることにより、被吐出体Ｈの上に目的形状の泡造形物ＦＢが成形される。
【００３１】
尚、泡吐出容器１００にあっては、泡吐出ヘッド２０の押下げ操作によって泡吐出ポンプ３０を駆動するだけでなく、泡受部５０に加える押下げ操作によっても泡吐出ポンプ３０を駆動し、泡吐出用ノズル４０の吐出口４１から泡体を吐出させることができる。
【００３２】
本実施形態において、泡受部５０は、泡吐出ヘッド２０における送液管２１の前述した湾曲部２２の中に配置され、具体的には送液管２１の横方向に延びた中間部である第２管部２１Ｂの上部に配置される。泡受部５０は、例えば平板状をなし、送液管２１の第２管部２１Ｂと一体成形されても良いし、送液管２１の第２管部２１Ｂに取着されるものでも良い。泡受部５０の平面形状は、特に限定されない。図１に示す例では、泡受部５０は平面視矩形状に形成されているが、円形状、楕円形状、長円形状等であっても良いし、多角形状であっても良い。泡受部５０の上面は、平坦に形成されていても良いし、凹曲面状、凸曲面状等に形成されていても良い。例えば、泡受部５０は、平坦な平板状に形成されている。
【００３３】
本実施形態において、泡受部５０の領域の少なくとも一部は、泡吐出容器１００の平面視で泡吐出用ノズル４０における吐出口４１の泡吐出領域に重なり合うように配置される。これにより、泡吐出用ノズル４０の吐出口４１から吐出された泡体が必ず、泡受部５０の上に載置された被吐出体Ｈの上に吐出されるものになる。
【００３４】
本実施形態において、泡吐出ポンプ３０の空気用ピストン３１、空気用シリンダ３２、液用ピストン３３、液用シリンダ３４、ピストンガイド３６、泡生成部３８等は、泡受部５０の下方に配置される。
【００３５】
従って、泡吐出容器１００にあっては、泡吐出ヘッド２０の下方に一定距離Ｋを介し、かつ容器本体１０の開口部１０Ａの上方に、泡吐出ヘッド２０の上下動とともに上下動する泡受部５０が設けられた。これにより、例えば、片手の掌を泡吐出用ノズル４０に向けて泡受部５０に載せ、泡受部５０に載せた片手の甲で該泡受部５０を押下げ、この泡受部５０とともに下方に移動する泡吐出ヘッド２０（泡吐出用ノズル４０）から吐出される泡状の液剤を当該片手の掌に受けることができる。このように、片手の甲で泡受部５０を押下げるだけの単純操作で簡易に泡吐出操作できる。
【００３６】
但し、本発明の泡吐出容器１００にあっては、一方の手を泡受部５０に載せ、他方の手で泡吐出ヘッド２０を押下げることにより、泡吐出ヘッド２０から吐出される泡状の液剤を泡受部５０の上にある一方の手の掌に受ける等もできる。
【００３７】
また、泡受部５０は容器本体１０の開口部１０Ａの上方に設けられ、換言すれば、容器本体１０の中心軸上に配置される。これにより、泡受部５０を手の甲で押下げるとき、手の甲の泡吐出容器１００に対する押下げ力の作用点は容器本体１０の中心軸上に位置するものになり、容器本体１０を上記押下げ力の作用下でぐらつかせず、泡受部５０及び泡吐出ヘッド２０の上下動を安定して行なうことができる。
【００３８】
また、泡受部５０に載せた掌等の被吐出体Ｈの上に泡状の液剤を吐出して目的形状の泡造形物ＦＢを成形しようとするとき、液剤を被吐出体Ｈの中央等の任意の位置に簡易かつ確実に吐出できる。
【００３９】
また、泡受部５０に載せる手等の被吐出体Ｈが泡吐出ヘッド２０の上下動とともに上下動する。従って、泡吐出ヘッド２０から吐出された泡状の液剤を被吐出体Ｈの上に受けて泡造形物ＦＢを成形する過程で、泡吐出ヘッド２０から被吐出体Ｈまでの距離が一定になり、結果として、泡造形物ＦＢの成形安定性は良好になり、きれいな泡造形物ＦＢを繰り返し成形できる。
【００４０】
即ち、泡吐出ヘッド２０又は泡受部５０に加える１回の押圧操作により、泡吐出用ノズル４０の吐出口４１から一定距離Ｋだけ下方の位置に配置された泡受部５０の上の被吐出体Ｈに一定料の泡体が吐出され、被吐出体Ｈの上に目的形状の泡造形物ＦＢが形成されるように、吐出口４１の幅（開口幅）及び形状が設定されている。一定距離Ｋは、例えば、１０ｍｍ以上６０ｍｍ以下が好ましく、２０ｍｍ以上５０ｍｍ以下が一層好ましい。
【００４１】
また、泡造形物ＦＢの形状保持性を高める観点から、吐出口４１から吐出される泡体は、空気と液剤との体積比、即ち、気液比（空気の体積：液剤の体積）を、好ましくは５：１から１００：１とすることができ、更に好ましくは１０：１から５０：１とすることができる。斯かる気液比の泡体は、泡生成部３８に送られる気体と液剤との速度や速度比を調整したり、液剤の粘度を調整したりすることによって得ることができる。
【００４２】
ここで、泡吐出容器１００にあっては、泡吐出ヘッド２０又は泡受部５０に加える１回毎の押下げ操作により吐出口４１から所定量の泡体が吐出される。この所定量は、空気用ピストン３１及び液用ピストン３３の往復動のストローク等のパラメータによって設定される。１回の操作により吐出される泡体の体積は、特に限定されないが、例えば、人の手に載る程度の量である１ｃｍ３以上５０ｃｍ３以下とすることができる。
【００４３】
また、泡吐出ヘッド２０は、送液管２１の上端部であって横方向に延在している第４管部２１Ｄの先端部に備えた泡吐出用ノズル４０の下向き面に、吐出口４１を下向きに開口して形成している。吐出口４１から吐出される泡体の吐出方向は下向きである。泡体は、吐出口４１から吐出されて大気圧に開放されることで、全体的には吐出口４１の形状を維持しながら膨張する。これにより、被吐出体Ｈの上で、泡体は目的形状の泡造形物ＦＢとなる。
【００４４】
尚、泡吐出用ノズル４０の吐出口４１は、１つの開口を有しているものに限らず、複数の開口を有していても良い。後者の場合、複数の開口から吐出された泡体が互いにくっついて１つの泡造形物ＦＢが形成されても良いし、互いに離間した複数の泡体により１つの泡造形物ＦＢが形成されても良い。
【００４５】
また、泡体を目的形状の泡造形物ＦＢに成形するために必要な泡吐出ヘッド２０又は泡受部５０に加える押下げ操作の回数は、１回であっても良いし、泡吐出ヘッド２０又は泡受部５０を立て続けに複数回押下げ操作することによって、目的形状の１つの泡造形物ＦＢが成形されるようになっていても良い。
【００４６】
また、泡吐出容器１００にあっては、泡吐出ポンプ３０の泡生成部３８で生成された泡状の液剤を泡吐出ヘッド２０の吐出口４１に導く送液管２１の一部が容器本体１０の中心軸に対する側方にずれた湾曲部２２を備え、この湾曲部２２の中に泡受部５０が配置される。これにより、泡受部５０を確実に容器本体１０の中心軸上に配置し、泡受部５０及び泡吐出ヘッド２０に押下げ力を作用させる状態下で容器本体１０をぐらつかせず、泡受部５０及び泡吐出ヘッド２０の上下動を一層安定して行なうことができる。
【００４７】
また、泡吐出容器１００にあっては、泡受部５０の下方に泡吐出ポンプ３０の泡生成部３８を配置することにより、泡吐出容器１００の構造を簡素化できる。また、泡吐出容器１００の重心位置を泡受部５０よりも下方レベルに下げることができ、泡受部５０及び泡吐出ヘッド２０の上下動の安定性を向上できる。
【００４８】
図５に示した泡吐出容器１００Ａが図１、図２に示した泡吐出容器１００と異なる点は、泡吐出ヘッド２０に備えた送液管２１における第４管部２１Ｄの先端部に、泡吐出用ノズル４０に代わるノズル６０を連設したものである。ノズル６０は容器本体１０の中心軸上に配置された下向き吐出口６１を備える。
【００４９】
また、本発明の泡吐出容器にあっては、泡吐出ポンプを容器本体に内蔵することを必須としない。
【産業上の利用可能性】
【００５０】
本発明の泡吐出容器によれば、片手でも安定的に泡吐出操作できる。
【００５１】
また、本発明の泡吐出容器によれば、手等の被吐出体の上にきれいな泡造形物を繰り返し成形できる。
【符号の説明】
【００５２】
１０  容器本体
１０Ａ  開口部
２０  泡吐出ヘッド
２１  送液管
２２  湾曲部
３０  泡吐出ポンプ
３８  泡成形部
４１  吐出口
５０  泡受部
１００  泡吐出容器
【図１】
0006671142.tif 000002
【図２】
0006671142.tif 000003
【図３】
0006671142.tif 000004
【図４】
0006671142.tif 000005
【図５】
0006671142.tif 000006